(57)【要約】【課題】番組表情報を取得する際の消費電力を低減すること。【解決手段】各チャンネルが自チャンネルに関する番組表情報を含む放送を受信可能であり、その受信する放送の各チャンネルを順々に選局することでその放送に含まれる複数のチャンネルの番組表情報を取得する受信装置であって、選局するチャンネルに関するユーザーの指示を受け付け可能なリモコン受信部と、放送を受信して、リモコン受信部が受け付けた選局するチャンネルに関する指示により指示されたチャンネルを選局するチューナと、チューナが選局したチャンネルに含まれる番組表情報を記録し、チューナが選局したチャンネル及びその時刻に関する視聴履歴情報を記録するメモリと、を備え、メモリに記録される番組表情報を更新する場合に、チューナが選局するチャンネルは、視聴履歴情報に基づき決定する。【選択図】図６
2012169881.tif 000002
【特許請求の範囲】
【請求項１】
各チャンネルが自チャンネルに関する番組表情報を含む放送を受信可能であり、その受信する放送の各チャンネルを順々に選局することでその放送に含まれる複数のチャンネルの番組表情報を取得する受信装置であって、
選局するチャンネルに関するユーザーの指示を受け付け可能な指示受付部と、
放送を受信して、前記指示受付部が受け付けた選局するチャンネルに関する指示により指示されたチャンネルを選局する選局部と、
前記選局部が選局したチャンネルに含まれる番組表情報を記録し、前記選局部が選局したチャンネル及びその時刻に関する視聴履歴情報を記録するメモリと、
を備え、
前記メモリに記録される番組表情報を更新する場合に、
前記選局部が選局するチャンネルは、前記視聴履歴情報に基づき決定される、受信装置。
【請求項２】
前記視聴履歴情報から、更新時に前記選局部が受信すべきチャンネルを抽出し、その抽出したチャンネルに関する情報を前記メモリに記録する制御部と、を備え、
前記選局部は、前記メモリに記録される番組表情報を更新する場合に、前記抽出したチャンネルに関する情報が示すチャンネルを選局する、請求項１に記載の受信装置。
【請求項３】
前記制御部は、前記視聴履歴情報において、対象とするチャンネルの選局時間が第１の期間以上の場合には、その対象とするチャンネルを選局し、
前記視聴履歴情報において、対象とするチャンネルの選局時間が第１の期間よりも短い第２の期間の場合には、その対象とするチャンネルを選局しない、請求項２に記載の受信装置。
【請求項４】
各チャンネルが自チャンネルに関する番組表情報を含む放送を受信可能であり、その受信する放送の各チャンネルを順々に選局することでその放送に含まれる複数のチャンネルの番組表情報を取得する受信装置であって、
録画に関するユーザーの指示を受け付け可能な指示受付部と、
放送を受信して、前記指示受付部が受け付けた録画に関する指示に基づきチャンネルを選局する選局部と、
前記選局部で選局したチャンネルの番組を記録可能な記録部と、
前記選局部が選局したチャンネルに含まれる番組表情報を記録し、前記記録部へ録画した番組のチャンネル及びその時刻に関する録画履歴情報を記録するメモリと、
を備え、
前記メモリに記録される番組表情報を更新する場合に、
前記選局部が選局するチャンネルは、前記録画履歴情報に基づき決定される、受信装置。
【請求項５】
前記録画履歴情報から、更新時に前記選局部が受信すべきチャンネルを抽出し、その抽出したチャンネルに関する情報を前記メモリに記録する制御部と、を備え、
前記選局部は、前記メモリに記録される番組表情報を更新する場合に、前記抽出したチャンネルに関する情報が示すチャンネルを選局する、請求項４に記載の受信装置。
【請求項６】
前記制御部は、前記録画履歴情報において、対象とするチャンネルの選局時間が第１の期間以上の場合には、その対象とするチャンネルを選局し、
前記録画履歴情報において、対象とするチャンネルの選局時間が第１の期間よりも短い第２の期間の場合には、その対象とするチャンネルを選局しない、請求項５に記載の受信装置。
【発明の詳細な説明】
【技術分野】
【０００１】
本発明は、番組表情報を含む放送を受信可能な受信装置に関する。
【背景技術】
【０００２】
ディジタル放送の受信機能を備えた受信装置では、放送局から提供される電子番組ガイドなどの番組表を画面に表示させることができる。視聴者は、電子番組ガイドなどの番組表を参照しながら視聴する番組を選ぶことができる。
【０００３】
受信装置に関して、以下の技術が知られている。
【０００４】
番組を選局する際に、チャンネル毎に選局回数をカウントしてメモリに記憶する。選局した番組の時刻情報を検出して、メモリに記憶する。再度選局するときに、その番組選局時と同一時間帯に記憶したチャンネルを、選局回数の多いチャンネル順にソートしてメモリに記憶する。番組選局時などに番組選局時の時間帯における選局回数の多い視聴履歴を持つチャンネル順に順次選局を行う（例えば特許文献１参照）。
【０００５】
視聴者が視聴した番組に関連する番組データを記憶する視聴者番組データ記憶手段と、番組データに基づいて、視聴者の好みの番組リストを作成する視聴者別番組リスト作成手段と、放送事業者側から受信した番組表から視聴者別番組リスト作成手段により作成した視聴者の好みの番組リストに該当する番組を検出する嗜好番組検出手段と、番組表を表示させる場合に、嗜好番組検出手段により番組表から検出された視聴者の好みの番組リストに該当する番組部分を他の番組部分とは差別化して表示させる差別化表示手段とを備える（例えば特許文献２参照）。
【先行技術文献】
【特許文献】
【０００６】
【特許文献１】特開平１１−２２０６７５号公報
【特許文献２】特開２００３−７８４９３号公報
【発明の概要】
【発明が解決しようとする課題】
【０００７】
近年、放送のディジタル化が進み、放送が多チャンネル化しつつある。受信装置が電子番組ガイドの全チャンネルに関する番組表情報を取得すると、受信装置が消費する電力が増大するといった問題点があった。
【０００８】
本発明は、上記課題を解決するためになされたもので、受信装置が取得する番組表情報を限定して、受信装置が消費する電力を抑えることが可能な受信装置を提供することを目的とする。
【課題を解決するための手段】
【０００９】
本発明の受信装置は、各チャンネルが自チャンネルに関する番組表情報を含む放送を受信可能であり、その受信する放送の各チャンネルを順々に選局することでその放送に含まれる複数のチャンネルの番組表情報を取得する受信装置である。受信装置は、選局するチャンネルに関するユーザーの指示を受け付け可能な指示受付部と、放送を受信して、指示受付部が受け付けた選局するチャンネルに関する指示により指示されたチャンネルを選局する選局部と、選局部が選局したチャンネルに含まれる番組表情報を記録し、選局部が選局したチャンネル及びその時刻に関する視聴履歴情報を記録するメモリと、を備える。メモリに記録される番組表情報を更新する場合に、選局部が選局するチャンネルは、視聴履歴情報に基づき決定される。
【００１０】
このような構成によれば、ユーザーの視聴履歴情報に基づき取得すべき番組表情報を選択した上で、選択された番組表情報を取得することができる。
【００１１】
本発明の受信装置は、各チャンネルが自チャンネルに関する番組表情報を含む放送を受信可能であり、その受信する放送の各チャンネルを順々に選局することでその放送に含まれる複数のチャンネルの番組表情報を取得する受信装置である。受信装置は、録画に関するユーザーの指示を受け付け可能な指示受付部と、放送を受信して、指示受付部が受け付けた録画に関する指示に基づきチャンネルを選局する選局部と、選局部が選局したチャンネルの番組を記録可能な記録部と、選局部が選局したチャンネルに含まれる番組表情報を記録し、記録部へ録画した番組のチャンネル及びその時刻に関する録画履歴情報を記録するメモリと、を備える。メモリに記録される番組表情報を更新する場合に、選局部が選局するチャンネルは、録画履歴情報に基づき決定される。
【００１２】
このような構成によれば、ユーザーの録画履歴情報に基づき取得すべき番組表情報を選択した上で、選択された番組表情報を取得することができる。
【発明の効果】
【００１３】
本発明によれば、受信装置が取得する番組表情報を限定して、受信装置が消費する電力を抑えることが可能な受信装置を提供することができる。
【図面の簡単な説明】
【００１４】
【図１】本実施の形態における受信装置の機能的構成を示すブロック図
【図２】同信号処理部の機能的構成を詳細に表したブロック図
【図３】同視聴履歴リストを示す図
【図４】その他の実施の形態における録画履歴リストを示す図
【図５】同再生履歴リストを示す図
【図６】本実施の形態における受信装置の動作を示すフローチャート
【発明を実施するための形態】
【００１５】
（実施の形態）
［１．受信装置１００の概要］
図１および図２を用いて本実施の形態における受信装置１００について説明する。図１に示すように、受信装置１００は、アンテナ１０１で、放送波を検出し、チューナ１０２により特定のチャンネルの信号を検出・増幅し、復調処理を行うものである。復調された信号は、信号処理部１０３に入力される。信号処理部１０３は、ストリーム分離処理および各種ストリームのデコード処理を行い、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）出力部１０４に出力する。ＨＤＭＩ出力部１０４は、映像データおよび音声データをＨＤＭＩ規格に沿った信号に変換し、テレビモニタ等に出力する。さらに、受信装置１００は、ＨＤＤ（Ｈａｒｄ  Ｄｉｓｋ  Ｄｒｉｖｅ）１０５を備える。ＨＤＤ１０５は、放送番組を録画する機能を備える。ＨＤＤ１０５は、信号処理部１０３によりデコードされた映像信号および音声信号をＣＰＵ１０８からの録画開始・停止指示に基づき録画する。
【００１６】
図２に示すように、信号処理部１０３は、ストリーム分離部２０１、映像デコーダ２０２、音声デコーダ２０３、データデコーダ２０４により構成される。ストリーム分離部２０１は、映像と音声とデータの信号が多重化された放送信号を映像と音声とデータの信号に分離する。ストリーム分離部２０１は、映像信号を映像デコーダ２０２へ出力する。ストリーム分離部２０１は、音声信号を音声デコーダ２０３へ出力する。ストリーム分離部２０１は、データ信号をデータデコーダ２０４へ出力する。映像デコーダ２０２は、映像信号をデコードして、ＨＤＭＩ出力部１０４に出力する。音声デコーダ２０３は、音声信号をデコードして、ＨＤＭＩ出力部１０４に出力する。データデコーダ２０４は、データ信号をデコードして、ＨＤＭＩ出力部１０４に出力する。データデコーダ２０４は、ＣＰＵ１０８と接続されている。すなわち、本実施の形態においては、データ信号は、ＣＰＵ１０８でソフトウェア処理されることによりデコードされる。
【００１７】
以上により、受信装置１００が、放送波を受信し、映像データおよび音声データをＨＤＭＩ規格でテレビモニタ等に出力するまでの信号処理の一連のフローを説明した。次に、ユーザー操作に伴う受信装置１００全体の動作について説明する。
【００１８】
ユーザーによる受信装置１００の操作は、リモコン１０９により行われる。ユーザー操作によりリモコン１０９から出力されるリモコン信号は、リモコン受信部１０６で受信される。リモコン受信部１０６は、リモコン信号をＣＰＵ１０８が処理可能な形式に変換した後、ＣＰＵ１０８へ出力する。
【００１９】
また、リモコン１０９はテンキーを備える。テンキーには、後述するサービスＩＤ（サービスを区別するためのＩＤ）が割り当てられている。例えば、サービス８０１は、テンキーの「８」に割り当てられている。サービス９０１は、テンキーの「９」に割り当てられている。受信装置１００が、サービス８０１を受信している状態は、ユーザー操作によりテンキー「８」が選択された状態である。ここでユーザー操作により、テンキー「９」が選択されると、サービス９０１が新たに選択される。
【００２０】
このとき、ＣＰＵ１０８は、あらかじめサービスＩＤとチューナ１０２の選局操作に必要なチャンネル情報とを紐付けしたリストを保持している。例えば、サービス９０１がチャンネル１９により送出されている場合、ユーザー操作によりサービス９０１が選択されると、ＣＰＵ１０８はチューナ１０２に対してチャンネル１９を選局するよう指示する。チューナ１０２により復調された信号は、信号処理部１０３へ出力され、信号処理部１０３により上述の処理が行われる。
【００２１】
本実施の形態における受信装置１００においては、ユーザーは、複数のサービスの中から、リモコン１０９などのユーザーインターフェイスにより、所望のサービスを選択し、視聴することができる。ここで、本実施の形態の受信装置１００は、図３に示す視聴履歴リストを残す動作を行う。視聴履歴リストは、「サービスＩＤ」、「チャンネル情報」、「視聴開始時間」、「視聴時間」により構成される。視聴履歴リストは、ユーザーが異なるサービスを選択するごとに、追加される。また、メモリ１０７が、視聴履歴リストを格納する。
【００２２】
［２．番組表情報取得フロー］
次に、受信装置１００の、番組表情報（ＥＰＧ：Ｅｌｅｃｔｒｉｃ  Ｐｒｏｇｒａｍ  Ｇｕｉｄｅ）取得動作について説明する。ユーザー操作により受信装置１００の電源オフボタン（図示せず）が押された場合、ＣＰＵ１０８は、まず、ＨＤＭＩ出力部１０４に指示してテレビモニタ等への映像・音声データ出力を停止する。次に、ＣＰＵ１０８は、番組表情報を取得する。
【００２３】
図６に示すように、まず、Ｓ６０１において、ＣＰＵ１０８は、図３に示した視聴履歴リストに基づき、サービスＩＤに対応するチャンネルを選局する。具体的には、ＣＰＵ１０８がチューナ１０２に対して、サービスＩＤに対応するチャンネルを指示する。
次に、Ｓ６０２において、ＣＰＵ１０８は、ＥＰＧデータを取得し、メモリ１０７に記憶する。具体的には、ＣＰＵ１０８が、データデコーダ２０４から番組表情報を抽出する。次にＣＰＵ１０８は、番組表情報をデコードする。次にＣＰＵ１０８は、デコードした番組表データをメモリ１０７へ出力する。メモリ１０７は、デコードされた番組表データを格納する。
【００２４】
次に、Ｓ６０３において、ＣＰＵ１０８は、受信リストに含まれるサービスＩＤにＥＰＧを未受信のサービスＩＤがあるか、否かを判定する。未受信のサービスＩＤがあれば、フローは、Ｓ６０４に進む。未受信のサービスＩＤがなければ、番組表情報取得動作が終了する。番組表情報取得動作が終了すると、ＣＰＵ１０８は、受信装置１００全体の電源を落とすことにより、受信装置１００の動作を停止させる。すなわち、ＣＰＵ１０８は、受信装置１００全体が電力を消費しない状態に移行させる。
【００２５】
次に、Ｓ６０４において、チューナ１０２は、未受信のサービスＩＤに対応するチャンネルに選局する。具体的には、チューナ１０２は、視聴履歴リストにおける番組表情報が未受信のサービスのサービスＩＤに対応するチャンネルを選局する。次にフローは、Ｓ６０２に進む。
【００２６】
このように、図３に示した視聴履歴リストのサービスにおいて、番組表情報が未受信のサービスがなくなるまでＣＰＵ１０８およびチューナ１０２は、該当のサービスＩＤのチャンネルの選局、および、番組表情報取得処理を繰り返す。言い換えれば、ＣＰＵ１０８およびチューナ１０２は、視聴履歴リストのすべてのサービスの番組表情報の取得が完了するまで、該当のサービスＩＤのチャンネルの選局、および、番組表情報取得処理を繰り返す。
【００２７】
［３．まとめ］
本実施の形態における受信装置１００は、各チャンネルが自チャンネルに関する番組表情報を含む放送を受信可能であり、その受信する放送の各チャンネルを順々に選局することでその放送に含まれる複数のチャンネルの番組表情報を取得する受信装置である。受信装置１００は、選局するチャンネルに関するユーザーの指示を受け付け可能な指示受付部であるリモコン受信部１０６と、放送を受信して、リモコン受信部１０６が受け付けた選局するチャンネルに関する指示により指示されたチャンネルを選局する選局部であるチューナ１０２と、チューナ１０２が選局したチャンネルに含まれる番組表情報を記録し、チューナ１０２が選局したチャンネル及びその時刻に関する視聴履歴情報を記録するメモリ１０７と、を備える。メモリ１０７に記録される番組表情報を更新する場合に、チューナ１０２が選局するチャンネルは、視聴履歴情報に基づき決定される。
【００２８】
本実施の形態における受信装置１００の番組表情報取得動作は、ユーザーが受信装置１００を使用していない状態で行われる。よって番組表情報取得動作は、できるだけ短時間で行われることが好ましい。受信装置１００は、ユーザーが視聴したサービスの履歴を視聴履歴リストとして残す。さらに、受信装置１００は、視聴履歴リストに基づき番組表情報を取得する。よって、多くのサービスの放送が運用されているディジタル放送において、短時間の選局動作により実質的にユーザーが必要とするサービスだけの番組表情報を取得することができる。すなわち、ユーザーが視聴しないようなサービスの番組表情報を取得する場合と比較して、番組表情報を取得する動作を行うために受信装置を動作させる時間が短時間になる。したがって、番組表情報取得に伴う受信装置１００の消費電力を低く抑えることができる。
【００２９】
また、本実施の形態における受信装置１００は、視聴履歴情報から、更新時にチューナ１０２が受信すべきチャンネルを抽出し、その抽出したチャンネルに関する情報をメモリ１０７に記録する制御部であるＣＰＵ１０８を備えてもよい。チューナ１０２は、メモリ１０７に記録される番組表情報を更新する場合に、抽出したチャンネルに関する情報が示すチャンネルを選局する。
【００３０】
［４．その他の実施の形態］
上述のように、本発明の実施の形態が例示された。しかし、本発明は、これには限られない。そこで本発明の他の実施の形態が、以下にまとめて説明される。なお、本発明は、これらには限定されず、適宜修正された他の実施の形態に対しても適用可能である。
【００３１】
本実施の形態においては、ユーザーが異なるサービスを視聴する毎に、図３に示した視聴履歴リストに追加する例を示した。しかし、ユーザーがいわゆるザッピングと呼ばれる頻繁にリモコンでチャンネルを切り替えるような使い方をした場合に、短時間だけの視聴時には履歴として残さないほうが、好ましい場合がありうる。
【００３２】
この場合、制御部であるＣＰＵ１０８は、視聴履歴情報において、対象とするチャンネルの選局時間が第１の期間以上の場合には、その対象とするチャンネルを選局し、視聴履歴情報において、対象とするチャンネルの選局時間が第１の期間よりも短い第２の期間の場合には、その対象とするチャンネルを選局しない構成にしてもよい。具体的には、ユーザーが所定時間以上、一例として上げれば、５分間以上視聴したチャンネルのみ視聴履歴リストに追加する構成でもよい。上記構成によれば、ユーザーが必要としない番組表情報を取得することにより、受信装置１００の消費電力が増加することを低減できる。
また、図４に示す録画履歴リストに基づき番組表情報を取得する構成も本発明に含まれる。すなわち、受信装置１００は、各チャンネルが自チャンネルに関する番組表情報を含む放送を受信可能であり、その受信する放送の各チャンネルを順々に選局することでその放送に含まれる複数のチャンネルの番組表情報を取得する受信装置である。受信装置１００は、録画に関するユーザーの指示を受け付け可能な指示受付部であるリモコン受信部１０６と、放送を受信して、リモコン受信部１０６が受け付けた録画に関する指示に基づきチャンネルを選局する選局部であるチューナ１０２と、チューナ１０２が選局したチャンネルの番組を記録可能な記録部であるＨＤＤ１０５と、チューナ１０２が選局したチャンネルに含まれる番組表情報を記録し、ＨＤＤ１０５へ録画した番組のチャンネル及びその時刻に関する録画履歴情報を記録するメモリ１０７と、を備える。メモリ１０７に記録される番組表情報を更新する場合に、チューナ１０２が選局するチャンネルは、録画履歴情報に基づき決定される。
【００３３】
図４に示す録画履歴リストは、「サービスＩＤ」、「チャンネル情報」、「録画開始時間」、「録画時間」により構成される。録画履歴リストは、ユーザーが異なるサービスを録画するごとに追加される。また、メモリ１０７が、録画履歴リストを格納する。
【００３４】
上記構成によれば、ユーザーが録画操作をする場合には、視聴履歴リストに基づき取得した番組表情報よりも、ユーザーが必要とするサービスの番組表情報を取得することができる。
【００３５】
また、制御部であるＣＰＵ１０８は、録画履歴情報において、対象とするチャンネルの選局時間が第１の期間以上の場合には、その対象とするチャンネルを選局し、録画履歴情報において、対象とするチャンネルの選局時間が第１の期間よりも短い第２の期間の場合には、その対象とするチャンネルを選局しない構成にしてもよい。上記構成によれば、ユーザーが必要としない番組表情報を取得することにより、受信装置１００の消費電力が増加することを低減できる。
【００３６】
さらに、ＣＰＵ１０８は、図５に示す再生履歴リストに基づき番組表情報を取得する構成でもよい。再生履歴リストは、「サービスＩＤ」、「チャンネル情報」、「録画開始時間」、「録画時間」、「再生時間」により構成される。再生履歴リストは、記録部であるＨＤＤ１０５に録画された番組において、ユーザーが異なるサービスの番組を再生するごとに追加される。また、メモリ１０７が、再生履歴リストを格納する。上記構成によれば、ユーザーが、実際には録画後に再生しないような番組に対して予約録画を設定している場合に、不要なサービスの番組表情報を取得することにより、受信装置１００全体の消費電力が増加することを低減できる。
【００３７】
また、制御部であるＣＰＵ１０８は、再生履歴情報において、対象とするチャンネルの選局時間が第１の期間以上の場合には、その対象とするチャンネルを選局し、再生履歴情報において、対象とするチャンネルの選局時間が第１の期間よりも短い第２の期間の場合には、その対象とするチャンネルを選局しない構成にしてもよい。上記構成によれば、ユーザーが必要としない番組表情報を取得することにより、受信装置１００の消費電力が増加することを低減できる。
【産業上の利用可能性】
【００３８】
本発明によれば、受信装置が取得する番組表情報を限定して、受信装置が消費する電力を抑え、かつ、視聴者の好みの番組を見つけやすい受信装置を提供できる。したがって、本発明は、薄型テレビ、光ディスクレコーダー、ＨＤＤレコーダーなどに広く有用である。
【符号の説明】
【００３９】
１００    受信装置
１０１    アンテナ
１０２    チューナ
１０３    信号処理部
１０４    ＨＤＭＩ出力部
１０５    ＨＤＤ
１０６    リモコン受信部
１０７    メモリ
１０８    ＣＰＵ
１０９    リモコン
２０１    ストリーム分離部
２０２    映像デコーダ
２０３    音声デコーダ
２０４    データデコーダ
【図１】
2012169881.tif 000003
【図２】
2012169881.tif 000004
【図３】
2012169881.tif 000005
【図４】
2012169881.tif 000006
【図５】
2012169881.tif 000007
【図６】
2012169881.tif 000008